(57)【要約】【課題】発熱による投射画像の微小移動を効果的に低減することが可能な投射型表示装置を提供すること【解決手段】投射型表示装置は、ランプ１と、Ｒ用反射型液晶表示素子５８Ｒ、Ｇ用反射型液晶表示素子５８Ｇ、Ｂ用反射型液晶表示素子５８Ｂと、照明光学系を収納する光学ボックス６を外装キャビネット１８に固定する複数の固定部６ｃと、冷却ファン２２から送風される冷却用の空気を、複数の固定部の中でランプ１の射出側に配置されてランプ１に最も近い固定部Ｄに案内するダクト２３と、を有する。【選択図】図１
2013142783.tif 000002
【特許請求の範囲】
【請求項１】
画像を投射面に投射する投射型表示装置であって、
光源と、前記画像を形成する画像表示素子と、前記光源からの光で前記画像表示素子を照明する照明光学系を収納する光学ボックスと、
筺体と、
前記光学ボックスを前記筺体に固定する複数の固定部と、
前記筺体に固定された冷却用の空気を送風する第１の冷却ファンと、
前記第１の冷却ファンから送風される前記冷却用の空気を、前記複数の固定部の中で前記光源の射出側に配置されて前記光源に最も近い固定部に案内するダクトと、
を有することを特徴とする投射型表示装置。
【請求項２】
画像を投射面に投射する投射型表示装置であって、
光源と、前記画像を形成する画像表示素子と、前記光源からの光で前記画像表示素子を照明する照明光学系を収納する光学ボックスと、
筺体と、
前記光学ボックスを前記筺体に固定する複数の固定部と、
前記複数の固定部の中で前記光源の射出側に配置されて前記光源に最も近い固定部の前に、冷却用の空気を排気する排気口を有し、前記筺体に固定された第１の冷却ファンと、
を有することを特徴とする投射型表示装置。
【請求項３】
画像を投射面に投射する投射型表示装置であって、
光源と、前記画像を形成する画像表示素子と、前記光源からの光で前記画像表示素子を照明する照明光学系を収納する光学ボックスと、
少なくとも２つの部材から構成される筺体と、
前記筺体を構成する少なくとも２つの部材を固定する複数の固定部と、
前記筺体に固定された冷却用の空気を送風する第１の冷却ファンと、
前記第１の冷却ファンから送風される前記冷却用の空気を、前記複数の固定部の中で前記光源の射出側に配置されて前記光源に最も近い固定部に案内するダクトと、
を有することを特徴とする投射型表示装置。
【請求項４】
画像を投射面に投射する投射型表示装置であって、
光源と、前記画像を形成する画像表示素子と、前記光源からの光で前記画像表示素子を照明する照明光学系を収納する光学ボックスと、
少なくとも２つの部材から構成される筺体と、
前記筺体を構成する少なくとも２つの部材を固定する複数の固定部と、
前記複数の固定部の中で前記光源の射出側に配置されて前記光源に最も近い固定部の前に、冷却用の空気を排気する排気口を有し、前記筺体に固定された第１の冷却ファンと、
を有することを特徴とする投射型表示装置。
【請求項５】
前記第１の冷却ファンからの前記冷却用の空気を、前記光学ボックスの内部に送るボックス用ダクトを更に有することを特徴とする請求項１乃至４のうちいずれか１項に記載の投射型表示装置。
【請求項６】
前記照明光学系は、光軸を折り曲げる全反射ミラーを有し、
前記第１の冷却ファンは前記全反射ミラーの反射面とは反対側に配置されていることを特徴とする請求項１乃至５のうちいずれか１項に記載の投射型表示装置。
【請求項７】
前記筺体は外気を筺体内に取り込むための吸気口を有し、
前記筺体の前記吸気口と前記第１の冷却ファンの吸気口との間に配置され、前記画像表示素子を変調駆動する基板を更に有することを特徴とする請求項１乃至６のうちいずれか１項に記載の投射型表示装置。
【請求項８】
前記第１の冷却ファンはシロッコファンであることを特徴とする請求項１乃至７のうちいずれか１項に記載の投射型表示装置。
【請求項９】
前記筺体は、前記固定部を冷却した空気が排気される排気口を有し、
前記筺体の、前記光源に関して前記排気口とは反対側に固定され、前記排気口に向けて送風する第２の冷却ファンを更に有することを特徴とする請求項１乃至８のうちいずれか１項に記載の投射型表示装置。
【発明の詳細な説明】
【技術分野】
【０００１】
本発明は、液晶プロジェクタなど投射型表示装置に係り、特に、投射型表示装置の冷却ユニットに関する。
【背景技術】
【０００２】
近年、高輝度な画像を投射するためにプロジェクタの光源出力は増加傾向にあり、特に、内部機構が密集して小型化が進む状況では発熱の影響は顕著となる。そこで、特許文献１は、筐体内の排気口付近にファンモータを設け、吸気口から排気口までの空気の流路にある発熱回路素子や光源ランプを冷却（空冷）する機構を提案している。
【先行技術文献】
【特許文献】
【０００３】
【特許文献１】特開２０００−３３０２０６号公報
【発明の概要】
【発明が解決しようとする課題】
【０００４】
しかしながら、特許文献１の構成では、外気が吸気口から筐体内に取り込まれてファンモータ、排気口を通って排気されるまでに温度が上昇し、発熱量が高い光源ランプが排気口近傍に設けられているので光源ランプ付近を十分に冷却できない。このため、筐体を構成する材料が有する線膨張係数によって、筐体が変形し温度が高い部分が膨張し、投射画像の微小な移動が発生してしまう。従来は投影画像の移動を抑えるために線膨張係数の低い材料を選定していたため、材料コストが高くなっていた。
【０００５】
また、近年提案されている、複数のプロジェクタを用いて一つの大画面画像を投影するマルチ投影や、１つの画像を複数のプロジェクタで重畳して明るい画像を投影するスタック投影では、上述した微小移動があると画質が劣化が顕著になる。また、筐体の小型化には、画像表示デバイスの小型化、即ち、高解像度化が必要であるが、高解像度になると投射画像の微小移動の影響も大きくなる。
【０００６】
そこで、本発明の例示的な目的は、発熱による投射画像の微小移動を効果的に低減することが可能な投射型表示装置を提供することである。
【課題を解決するための手段】
【０００７】
本発明の投射型表示装置は、画像を投射面に投射する投射型表示装置であって、光源と、前記画像を形成する画像表示素子と、前記光源からの光で前記画像表示素子を照明する照明光学系を収納する光学ボックスと、筺体と、前記光学ボックスを前記筺体に固定する複数の固定部と、前記筺体に固定された冷却用の空気を送風する第１の冷却ファンと、前記第１の冷却ファンから送風される前記冷却用の空気を、前記複数の固定部の中で前記光源の射出側に配置されて前記光源に最も近い固定部に案内するダクトと、を有することを特徴とする。
【発明の効果】
【０００８】
本発明によれば、発熱による投射画像の微小移動を効果的に低減することが可能な投射型表示装置を提供することができる。
【図面の簡単な説明】
【０００９】
【図１】本発明の投射型表示装置の筺体内部の上面図である。（実施例１）
【図２】図１に示す投射型表示装置の光学構成図である。（実施例１）
【図３】図１において冷却用の空気の移動を示した上面図である。（実施例１）
【図４】図３の部分斜視図である。（実施例１）
【図５】スタック投影時の投射型表示装置の側面図である。
【図６】マルチ投影時の投射型表示装置の上面図である。
【図７】本発明の投射型表示装置の筺体内部の上面図である。（実施例２）
【図８】図７において冷却用の空気の移動を示した上面図である。（実施例２）
【発明を実施するための形態】
【００１０】
以下に、本発明の好ましい実施の形態を、添付の図面に基づいて詳細に説明する。
【実施例１】
【００１１】
図１は、実施例１の投射型表示装置（画像投射装置）の筺体内部の上面図であり、図２は投射型表示装置の光学構成図である。本実施例の投射型表示装置は液晶プロジェクタとして構成されている。
【００１２】
投射型表示装置は、不図示のパーソナルコンピュータ（ＰＣ）、ＤＶＤプレーヤ、テレビチューナ等の画像供給装置からの入力信号を受信し、基板に搭載されたマイクロコンピュータなどを介して、液晶表示素子を変調駆動する。そして、変調駆動された液晶表示素子を、照明光学系を介して照明し、液晶表示素子からの光束を投射レンズユニット５に送る。投射レンズユニット５は、ズームレンズなどから構成される投射光学系を有してズーミングを行い、液晶表示素子からの光束をスクリーン（投射面）に投射する。
【００１３】
投射型表示装置は、照明光学系や投射レンズユニット５を含む図２に示す光学系、基板２１、冷却ユニット、その他の部材を、外装キャビネット１８と蓋１９という２つの部材から構成される筺体の内部に収納している。なお、筺体は少なくとも２つの部材（名称は外装キャビネットと蓋に限定されない複数の部材）から構成されていてもよいし、単一の部材から構成されていてもよい。
【００１４】
光学系は、図２に示すように、Ｒ用反射型液晶表示素子５８Ｒ、Ｇ用反射型液晶表示素子５８Ｇ、Ｂ用反射型液晶表示素子５８Ｂ、照明光学系、投射レンズユニット５を有する。
【００１５】
Ｒ用反射型液晶表示素子５８Ｒ、Ｇ用反射型液晶表示素子５８Ｇ、Ｂ用反射型液晶表示素子５８Ｂは、それぞれ赤色（Ｒ）、緑色（Ｇ）、青色（Ｂ）の色に対応し、入射光を反射するとともに画像変調することによって画像を形成する画像表示素子である。
【００１６】
照明光学系は、これら各色の液晶表示素子をそれぞれ照明し、ランプ１、防爆凸レンズ３、フライアイレンズＡ４３、Ｂ４４、偏光変換素子４５、全反射ミラー４６、コンデンサーレンズ４７ａ、４７ｂ、および色分離合成系βを有する。
【００１７】
光源であるランプ１は、連続スペクトルで白色光を発光する発光管４１と、発光管４１からの光を所定の方向に集光するリフレクタ４２から構成されている。ランプ１は、ランプ１からの光を集光する防爆凸レンズ３と共に、不図示の複数のバネ部材によってランプホルダに保持されている。
【００１８】
フライアイレンズＡ４３、Ｂ４４は光束を複数の光束に分割する。偏光変換素子４５はランプ１からの方向性の無い光（無偏光光）を所定の偏光光に変換する。全反射ミラー４６は光軸を折り曲げる。コンデンサーレンズ４７ａ、４７ｂは、フライアイレンズＡ４３、Ｂ４４にて分割された複数の光束を反射型表示素子に重ねて照明するための集光手段である。
【００１９】
４はランプ１、ランプホルダ２、防爆凸レンズ３、フライアイレンズＡ４３、Ｂ４４、偏光変換素子４５、全反射ミラー４６および不図示の複数の部材によって構成されるランプユニットである。
【００２０】
色分離合成系βは、Ｒ用反射型液晶表示素子５８Ｒ、Ｇ用反射型液晶表示素子５８Ｇ，Ｂ用反射型液晶表示素子５８Ｂを照明する照明光を生成し、各液晶表示素子からの反射光を合成する。色分離合成系βは、ダイクロイックミラー４８、トリミングフィルタ４９、ワイヤーグリッド偏光板５０、カラーセレクト５１、偏光ビームスプリッタ５２、５３、合成プリズム５４、偏光板５５、５６、１／４波長板５７Ｒ、５７Ｇ、５７Ｂを含む。
【００２１】
ダイクロイックミラー４８はＢとＲの波長領域の光を反射し、Ｇの波長領域の光を透過する。トリミングフィルタ４９はＲの色純度を高めるためにＲ帯域の光の使用する波長域を制限する。ワイヤーグリッド偏光板５０は反射型の偏光選択手段である。カラーセレクト５１は所定の波長域の光の偏光方向を変換する波長選択性位相板である。合成プリズム５４は、ＢとＧに対してはダイクロイックに作用し、Ｒについては偏光ビームスプリッタと同等に作用する。偏光板５５はＢ用の偏光選択手段であり、偏光板５６はＧ用の偏光選択手段である。１／４波長板５７Ｒ、５７Ｇ、５７ＢはそれぞれＲ用、Ｇ用、Ｂ用である。
【００２２】
投射レンズユニット５は、色分離合成系βによって合成された液晶表示素子からの光束をスクリーンに投射する。
【００２３】
６はランプユニット４、照明光学系の一部と液晶表示素子（液晶パネル）と投射レンズユニット５が固定される光学ボックスであり、不図示の蓋によって閉じられる。６ａは光学ボックス６を外装キャビネット１８に固定する固定部であり、ボルトとナットなどを含む。固定部６ａは、筺体に複数存在する。
【００２４】
８は筺体内に電力を供給する電源であり、不図示のＡＣインレットを有し、外装キャビネット１８に組み込まれる。９はバラストであり、ランプ１を点灯するための点灯電源装置である。バラスト９は電源８およびランプ１と電気的に接続される。
【００２５】
外装キャビネット１８は、筐体内に外気を取り込む前面吸気口１８ａと側面吸気口１８ｄおよび筐体外に排熱する排気口１８ｂを備える。吸気口１８ａの近傍にはそれを覆うようにエアフィルタ２０が設けられ、筐体内に外気を吸入する際に筐体内に塵埃が入ることを抑制する。蓋１９はダクト１３を保持し、外装キャビネット１８と組み付き筐体を覆う。１８ｃは外装キャビネット１８と蓋１９を固定する固定部であり、ボルトとナットなどを含む。固定部１８ｃは、筺体に複数存在する。
【００２６】
基板２１は、画像・制御等の各種信号を取り込むコネクタ（インターフェース）やＣＰＵなどのマイクロコンピュータが搭載され、電源８からの電力により液晶表示素子の駆動、ランプ１への点灯指令、冷却ユニットの後述する冷却ファンへの駆動指令を送る。基板２１は液晶表示素子とフレキシブル基板（ＦＰＣ）を介して接続されている。基板２１は、図１の紙面に平行に外装キャビネット１８に固定されているが、図１の紙面に垂直に固定されるなど固定の方向は限定されない。
【００２７】
冷却ユニットは、冷却用の空気を送風することによって被冷却部を冷却（空冷）する。被冷却部は、従来と同様に、光学ボックス６の内部、色分離合成系β、電源８、バラスト９を含むが、本実施例ではこれらに加えて更に別の被冷却部を含む。
【００２８】
この被冷却部の一つは、ランプ１の射出側に配置されてランプ１に最も近い固定部６ａであり、これを他の固定部６ａと区別するために、図中では「Ｄ」と記している。また、別の被冷却部は、ランプ１の射出側に配置されてランプ１に最も近い固定部１８ｃであり、これを他の固定部１８ｃと区別するために、図中では「Ｅ」と記している。これらの固定部Ｄ、Ｅは、発熱量の大きいランプ１の熱の影響を特に大きく受け、熱膨張や熱変形すれば投射画像に微小な移動が発生する原因となる。しかしながら、従来はこれらの部材の冷却は不十分であった。
【００２９】
冷却ユニットは、冷却ファン１０、１１、１４、１６、２２、ダクト１２、１３、１７、２３を含む。
【００３０】
冷却ファン１０、１１は、外装キャビネット１８に設けられた吸気口１８ａから吸入した外気によって色分離合成系βを冷却し、吸気方向と排気方向が９０度をなしている。ダクト１２は、冷却ファン１０、１１を保持し、吸気口１８ａから外気を冷却ファン１０、１１に供給する。ダクト１３は、蓋１９に保持され、冷却ファン１０、１１から排気された空気を色分離合成系βに導風する。
【００３１】
冷却ファン（第２の冷却ファン）１４は、ランプ１と冷却ファン１１（または吸気口１８ａ）の間に配置され、電源８、バラスト９、ランプ１およびその周辺を冷却し、排気口１８ｂより筐体外へ排熱する。１５は冷却ファン１４を保持する冷却ファンホルダである。従来は、冷却ファン１４によって固定部Ｄ、Ｅが（直接ではなく空気の対流によって）冷却されていたが、これでは固定部Ｄ、Ｅの冷却が不十分であり熱膨張や熱変形が生じていた。
【００３２】
冷却ファン１６は、ランプ１の吸気口１８ａ側であって冷却ファン１１（または１４）と色分離合成系βとの間に配置され、色分離合成系βの光学素子を冷却した空気を吸気し、排気によってランプ１を冷却する。ダクト１７は、冷却ファン１６から排気された空気をランプ１に導風する。
【００３３】
冷却ファン（第１の冷却ファン）２２は、側面吸気口１８ｄから吸気し、排気によって固定部Ｄ、Ｅ、偏光変換素子４５を冷却する。本実施例の冷却ファン２２はシロッコファンで、吸気方向と排気方向が９０度をなしているが、ターボファン、サイレントファン、リミットロードファン、クロスフローファンなど他の冷却ファンの適用を妨げるものではない。冷却ファン２２は、全反射ミラー４６の非反射面側、または光学ボックス６と排気口１８ｄの間に配置されている。ダクト２３は冷却ファン２２から排気された空気を固定部Ｄ、Ｅ、偏光変換素子４５に導風する。
【００３４】
従来は、空気を固定部Ｄ、Ｅに案内する専用のダクトが設けられておらず、固定部Ｄ、Ｅの冷却は専ら筺体内部の空気の対流に任されていたが、本実施例は、ダクト２３を設けることによって効率的かつ確実に固定部Ｄ、Ｅを冷却している。
【００３５】
上述したように、固定部Ｄ，Ｅを冷却した空気は排気口１８ｂから排気される。しかも、筺体の、ランプ１に関して排気口１８ｂとは反対側に冷却ファン１４が固定され、排気口１８ｂに向けて送風しているので、固定部Ｄ、Ｅを冷却して暖められた空気は筺体内に留まらずに冷却ファン１４からの送風によって直ちに排気される。
【００３６】
なお、固定部Ｄ、Ｅを冷却するための空気は冷却ファン２２以外の冷却ファンから得てもよいが、冷却ファン１４、１６はランプ１の吸気口１８ａ側にあり、一方、固定部Ｄ、Ｅはこれと反対側にある。このため、冷却ファン１４、１６から冷却用の空気を得ると、ダクトの長さが長くなり、また、ランプ１の周囲を通る際に温められるので、ランプ１から離れた位置にある冷却ファン２２を使用することが好ましい。
【００３７】
また、本実施例ではダクト２３を介して固定部Ｄ、Ｅを冷却しているが、冷却ファン２２の排気口を固定部Ｄ、Ｅの前に位置するように冷却ファン２２を固定部Ｄ、Ｅの近傍に設けて冷却用の空気を、ダクトを介さずに、固定部Ｄ、Ｅに吹き付けてもよい。この場合、必要があれば、冷却ファン２２の吸気口を排気口１８ｂが設けられている外装キャビネット１８の壁面に向け、その壁面に吸気口を設けてもよい。あるいは、吸気口１８ｄと冷却ファン２２の吸気口をダクトで接続してもよい。
【００３８】
図３は、図１において冷却用の空気の移動を示した上面図であり、図４は、投射型表示装置の固定部Ｄ、Ｅ付近における冷却用の空気の移動を示した部分斜視図である。
【００３９】
図３に実線の矢印で表す風路について説明する。冷却ファン１０、１１、１６の回転によって外気が吸気口１８ａからエアフィルタ２０を通り、筐体内へ流入する。この空気はダクト１２を通って冷却ファン１０、１１に吸気され、冷却ファン１０、１１から排気された空気はダクト１３で合流し、色分離合成系βに流れ、色分離合成系βの光学素子や液晶表示素子を冷却する。色分離合成系βを冷却した空気は冷却ファン１６によって吸気され、ダクト１７から排出される。この空気は、ランプホルダ２に設けられた不図示の開口から流入し、ランプ１の発光管４１を冷却する。発光管４１を冷却した空気はランプホルダ２に設けられた不図示の開口から排出され、冷却ファン１４の風路に流れ込む。
【００４０】
図３に破線の矢印で表す風路について説明する。冷却ファン１４の回転によって外気が吸気口１８ａからエアフィルタ２０を通り筐体内へ流入する。この空気は電源８およびバラスト９を冷却した後に冷却ファン１４に吸気され、冷却ファン１４から排気された空気はランプユニット４全体を冷却し、ランプ１および後述する偏光変換素子４５を冷却した空気と共に排気口１８ｂより排気される。
【００４１】
図３に一点鎖線の矢印で表す風路について説明する。図４はこの風路を詳細に示した部分斜視図である。冷却ファン２２の回転によって、外気が外装キャビネット１８に設けられた側面吸気口１８ｄから筐体内へ流入する。冷却ファン２２から排気された空気はダクト２３を通る。ダクト２３は、光学ボックス６の内部へ向かう第１の流路（ボックス用ダクト）と、ランプ１の出射側近傍の固定部Ｄ、Ｅへ向かう第２の流路に分割されている。第１の流路に案内された空気は光学ボックス６の内部を冷却した後に冷却ファン１４の流路に流れ込み、排気口１８ｂから排気される。第２の流路に案内された空気は固定部Ｄ、Ｅを冷却した後に冷却ファン１４の流路に流れ込み、排気口１８ｂから排気される。第１の流路は下方向に延び、第２の流路は水平または上方向に延びている。なお、一つのダクト２３を２つに分岐せずに２つの別個のダクトを冷却ファン２２の排気口に接続してもよい。
【００４２】
これにより、固定部Ｄ、Ｅが局所的に温度上昇して熱膨張することを防止して筐体の微小な変形を抑えることができる。また、冷却ファン２２にシロッコファンを用いることで固定部Ｄ、Ｅの近傍に部品が密集して静圧が高くても、確実に冷却することができる。
【００４３】
図５はスタック投影時の投射型表示装置の配置を示す側面図で、図６はマルチ投影時の投射型表示装置の配置を示す上面図である。図５、６において、１００、１０１は本実施例の投射型表示装置、１０２は天井、１０４はスクリーン、１０５は複数の投射型表示装置１００、１０１が設置される投影台、１０６は床である。
【００４４】
まず、図５を参照すると、投射型表示装置１０１の上に投射型表示装置１００が乗った状態でスクリーン１０４の同じ領域に画像が投影される。同じ領域に向かって投影することにより１台で投影した場合の２倍の照度を得られ、より明るい視聴環境でも投影画像を良好に視聴することが可能である。
【００４５】
ただし、２つの画像が同じ位置に投射されるので２つの画像の位置ずれ（回転、歪みを含む）を防止する必要がある。一般に、筐体にかかる荷重から投射型表示装置１０１の変形量が大きくなり易く、変形量が偏ると投影画像にずれが発生し、画質が劣化する。本実施例の投射型表示装置では局所的な温度上昇による変形を抑えて、良好な投影画像を提供することが可能である。
【００４６】
次に、図６を参照すると、投射型表示装置１００、１０１が並列された状態でスクリーン１０４に、互いの投影画像が隣接するように投影される。隣接して投影することによってパノラマ画像などダイナミックな画像を視聴者に提供することが可能である。
【００４７】
ただし、２つの画像の境界の位置ずれ（回転、歪みを含む）を防止する必要がある。局所的な熱膨張による投影画像の移動が起きると２つの画像の境界において画質が劣化する。本実施例の投射型表示装置では局所的な温度上昇による変形を抑えて、良好な投影画像を提供することが可能である。
【００４８】
本実施例によれば、固定部Ｄ、Ｅに、ダクト２３を介して、もしくは、冷却ファンを近づけることによって、確実に冷却用の空気を送風する冷却手段を設けているので、この部分の熱膨張による変形を抑えて投射画像の画質を維持することができる。本実施例は、特に、投射画像の位置ずれが画質劣化を招くマルチ投影やスタック投影において効果が大きい。また、図１に示す実施例では、偏光変換素子４５を冷却する冷却ファン２２が固定部Ｄ、Ｅを冷却する冷却手段を兼ねているので、送風手段を増やすことがなく、投射型表示装置の大型化を防ぐことができる。更に、シロッコファンを用いることで、部品の密集するような場所に対しても高静圧で空気を送風でき、より確実に被冷却部に空気を送風することができる。
【実施例２】
【００４９】
図７は、実施例２の投射型表示装置（画像投射装置）の筺体内部の上面図であり、図８は、図７において冷却用の空気の移動を示した上面図である。実施例２は、基板２１を図１の紙面に垂直に吸気口１８ｅと冷却ファン２２との間に配置している点が実施例１と相違している。基板２１は、液晶表示素子とＦＰＣ２４を介して接続され、外装キャビネット１８に固定されている。また、外装キャビネット１８の前面には前面吸気口Ｂ１８ｅが設けられている。
【００５０】
図８に実線の矢印で表す風路について説明する。冷却ファン１０、１１、１６の回転によって外気が吸気口１８ａからエアフィルタ２０を通り、筐体内へ流入する。この空気はダクト１２を通って冷却ファン１０、１１、１６に吸気され、冷却ファン１０、１１から排気された空気はダクト１３で合流し、色分離合成系βに流れ、色分離合成系βの光学素子や液晶表示素子を冷却する。色分離合成系βを冷却した空気は基板２１の一部を冷却し、冷却ファン２２へ流れる。一方、冷却ファン１６から排出された空気は、ダクト１７を通ってランプホルダ２に設けられた不図示の開口から流入し、ランプ１の発光管４１を冷却する。発光管４１を冷却した空気はランプホルダ２に設けられた不図示の開口から排出され、冷却ファン１４の風路に流れ込む。
【００５１】
図８に破線の矢印で表す風路については実施例１と同様である。
【００５２】
図８に一点鎖線の矢印で表す風路について説明する。冷却ファン２２の回転によって、外気が外装キャビネット１８に設けられた前面吸気口１８ｅから筐体内へ流入し、基板２１を冷却した後で冷却ファン２２に吸気される。冷却ファン２２から排気された空気がダクト２３を介して、偏光変換素子４５と固定部Ｄ、Ｅを冷却し、その後、排気口１８ｂから排気される点は実施例１と同様である。
【００５３】
本実施例によれば、偏光変換素子４５と固定部Ｄ、Ｅを冷却する冷却手段は基板２１もさらに冷却することができる。
【００５４】
以上、本発明の好ましい実施形態について説明したが、本発明はこれらの実施形態に限定されず、その要旨の範囲内で種々の変形及び変更が可能である。
【産業上の利用可能性】
【００５５】
投射型表示装置は、液晶プロジェクタ等の分野に適用することができる。
【符号の説明】
【００５６】
１…ランプ（光源）、６…光学ボックス、Ｄ、Ｅ…固定部、１８…外装キャビネット（筺体）、１９…蓋（筺体）、２２…冷却ファン（第１の冷却ファン）、２３…ダクト、５８Ｒ…Ｒ用反射型液晶表示素子（画像形成素子）、５８Ｇ…Ｇ用反射型液晶表示素子（画像形成素子）、５８Ｂ…Ｂ用反射型液晶表示素子（画像形成素子）、１００、１０１…投射型表示装置
【図２】
2013142783.tif 000003
【図５】
2013142783.tif 000004
【図６】
2013142783.tif 000005
【図１】
2013142783.tif 000006
【図３】
2013142783.tif 000007
【図４】
2013142783.tif 000008
【図７】
2013142783.tif 000009
【図８】
2013142783.tif 000010